(57)【要約】【課題】本発明は、１台の電位治療器において複数の人間が交代に治療を受ける場合に、夫々の人間の身体に与える電位治療器の出力調整パラメータを変化させ、夫々の人間に対応して電圧に対する慣れを防ぎ、治療効果を促進することを目的とする。【解決手段】本発明では、複数の人間が、１台の電位治療器を用いて所望の順番により交代に、自己又は他者の操作により治療を受ける際、夫々の人間の治療の中断又は終了時に、前記電位治療器が、夫々の人間に関する前記電位治療器の出力調整パラメータを記憶し、夫々の人間の治療再開時に選択することにより、夫々の人間毎に記憶した治療中断又は終了時の前記パラメータに応じた治療を受けることが可能な電位治療器を用いる。【選択図】図１
2017189501.tif 000002
【特許請求の範囲】
【請求項１】
１台が、複数の人間により任意の順番で１人ずつ使用される電位治療器において、
１の人間の１回の治療の中断又は終了時に、前記１の人間と関連付けた当該回の治療における出力調整パラメータの記憶を保持し、かつ該記憶を、複数の人間について保持する記憶手段と、
複数の人間の中から１の人間を治療再開時に選択する選択手段と、
前記選択手段により選択された１の人間と関連付けられた前回までの回の出力調整パラメータの記憶を用いて、前記選択された１の人間に応じた出力調整パラメータを自動調整するパラメータ調整手段とを備えることを特徴とする電位治療器。
【請求項２】
治療に関する情報を入力することにより、前記情報に応じた電位治療器の出力調整パラメータを自動設定するパラメータ設定手段を有する請求項１に記載の電位治療器。
【請求項３】
電位治療器の出力調整パラメータが、（ａ）電圧の高さ、（ｂ）電圧の正負、（ｃ）電圧の波形、（ｄ）電圧の周波数、（ｅ）前記高さ、前記正負、前記波形若しくは前記周波数のいずれかを一定に保つ継続時間、及び、（ｆ）累計作動回数のうち、１種以上を含む請求項１又は２に記載の電位治療器。
【請求項４】
治療に関する情報が、年齢及び身体的症状を含む請求項１〜３のいずれか１項に記載の電位治療器。
【請求項５】
８〜１３Ｈｚの周波数の値域内で変動する電圧の周波数で電圧による刺激を身体に加える機能を有する請求項１〜４のいずれか１項に記載の電位治療器。
【発明の詳細な説明】
【技術分野】
【０００１】
本発明は、電位治療器に関し、更には、１台で複数の人間が交互に治療を行う電位治療器に関する。
【背景技術】
【０００２】
従来、民間で行われる治療として種々の治療法が存在する。それらの治療法の中には、物理療法と呼ばれる分野がある。物理療法とは、温熱や音波、水、電気、光線などの物理的エネルギーを利用して、様々な症状・障害を改善させる療法のことを指す。
より具体的には、物理療法として一般的なものの中では、マッサージ、灸、レーザー治療、赤外線治療、温泉浴などが挙げられる。
物理療法は、物理的刺激を身体に与え、身体に良好な変化を生じることを期待して行われる。
高圧電位治療も物理療法に位置づけられる治療の一種である。高圧電位治療では、絶縁状態にした人間の身体に高電圧をかけることにより、頭痛、肩こり、不眠症、便秘の緩解を目的とする。
【０００３】
これまでに、高圧電位治療を行うための装置として、電位治療器が用いられてきた。
現在、電位治療器は、種々の型のものが存在するが、一般的に、高価であり、１人が１台保有することには経済的負担が大きい。従って、複数の人間により１台が使用される電位治療器であることが望まれる。
【０００４】
ここで、電位治療器を、治療を受ける人間が一定期間使用を継続すると、その人間に電圧に対する慣れが生じ、電圧による刺激を受けることによる心地良い感覚が低下する。
また、電圧に対する慣れは、治療効果の低下につながる可能性もある。少なくとも、電圧による刺激を受けることによる心地よい感覚が低下すると、電位治療器を使用して治療を受ける人間は、治療を継続することについての動機づけを低下させ治療を継続しない結果、治療効果が表れないことが予想される。
【０００５】
これに対し、前記電圧に対する慣れを解消するため、人間の身体に与える電圧の高さ、周波数又は波形等の電位治療器の出力調整パラメータを変化させ、電圧に対する慣れを防ぐことができる。
しかしながら、そのために、治療を受ける人間毎に、前記パラメータを調整する必要が生じる。このため、１台の電位治療器で複数の人間が交代に治療を受ける場合、前記パラメータを交代の都度調整することは煩雑であり、実際には１台の電位治療器で複数の人間が交代に治療を受ける場合、治療を受ける人間毎に前記パラメータを調整することは、困難であった。
また、別の方法として、慣れを防ぐために電位治療器の出力調整パラメータをランダムに変化させることも考えられるが、ランダムに変化した電位治療器の出力調整パラメータが適さず、治療が心地良いと感じられないことがあるという問題がある。
【０００６】
特許文献１には、寝具状の温熱電位治療器に、清涼機能を付加し、睡眠リズムに合わせて効果的に制御することにより快適な寝床環境を得ることができる温熱電位治療器が開示されている。また、同文献には、制御手段にマイコンを用い、このマイコンに予め運転方法をプログラムして複数の運転コースとして登録し、使用者の操作によりこれらの複数の運転コースの中から選択して運転することが記載されている。
しかしながら、同文献には、電位治療器の出力調整パラメータを変化させ、１台の電位治療器で、１の人間に関する電位治療器の出力調整パラメータを、治療の中断又は終了時に１の人間に関連付けて記憶し、複数の人間の中から１の人間を治療再開時に選択することにより、前回の治療の中断又は終了時の出力調整パラメータに応じた治療を受けることは、全く開示されていない。
【先行技術文献】
【特許文献】
【０００７】
【特許文献１】特開２００５−２１４６５号公報（特許請求の範囲、実施例等）
【発明の概要】
【発明が解決しようとする課題】
【０００８】
本発明は、上記従来技術の課題等について、これを解消しようとするものである。即ち、１台の電位治療器において複数の人間が交代に治療を受ける場合に、１の人間の身体に与える電位治療器の出力調整パラメータを変化させ、前記１の人間に対応して電圧に対する慣れを防ぎ、治療効果を促進することを可能とする電位治療器を提供することを目的とする。
【課題を解決するための手段】
【０００９】
本発明の発明者は、鋭意研究した結果、以下の電位治療器により上記課題を解決することができることを見出した。
【００１０】
即ち、本発明は、次の（１）〜（５）に存する。
（１）  １台が、複数の人間により任意の順番で１人ずつ使用される電位治療器において、
１の人間の１回の治療の中断又は終了時に、前記１の人間と関連付けた当該回の治療における出力調整パラメータの記憶を保持し、かつ該記憶を、複数の人間について保持する記憶手段と、
複数の人間の中から１の人間を治療再開時に選択する選択手段と、
前記選択手段により選択された１の人間と関連付けられた前回までの回の出力調整パラメータの記憶を用いて、前記選択された１の人間に応じた出力調整パラメータを自動調整するパラメータ調整手段とを備えることを特徴とする電位治療器。
（２）  治療に関する情報を入力することにより、前記情報に応じた電位治療器の出力調整パラメータを自動設定するパラメータ設定手段を有する上記（１）に記載の電位治療器。
（３）  電位治療器の出力調整パラメータが、（ａ）電圧の高さ、（ｂ）電圧の正負、（ｃ）電圧の波形、（ｄ）電圧の周波数、（ｅ）前記高さ、前記正負、前記波形若しくは前記周波数のいずれかを一定に保つ継続時間、及び、（ｆ）累計作動回数のうち、１種以上を含む上記（１）又は（２）に記載の電位治療器。
（４）  治療に関する情報が、年齢及び身体的症状を含む上記（１）〜（３）のいずれか１つに記載の電位治療器。
（５）  ８〜１３Ｈｚの周波数の値域内で変動する電圧の周波数で電圧による刺激を身体に加える機能を有する上記（１）〜（４）のいずれか１つに記載の電位治療器。
【発明の効果】
【００１１】
本発明によれば、１台の電位治療器で、複数の人間が１台の電位治療器を用いて所望の順番により交代に、自己又は他者の操作により治療を受ける際、人間毎に前回の治療の中断及び終了の状態に応じて出力調整パラメータを変化させ、人間毎に電位治療器による治療における電圧に対する慣れを防ぐことができる電位治療器が提供される。
その結果、１台の電位治療器で、複数の人間が治療を受ける場合、それら複数の人間に対して電位治療器による治療効果を促進することができる。
さらに、入力された治療に関する情報に応じた治療プログラムを自動設定することで、治療を受ける人間に適した出力調整を行い、１台の電位治療器で、各自に応じた治療に関する情報及び出力調整を継続して用いながら、複数の人間が交代に治療を受けることが可能な電位治療器が提供される。
【図面の簡単な説明】
【００１２】
【図１】実施形態に係る電位治療器において、１の人間に対し、前回治療時の出力調整パラメータを用い、治療再開時の出力調整パラメータが決定され、電位出力がなされる処理を、概略した図である。
【図２】実施形態に係る電位治療器の電圧の波形のうちの１つである、パターン１の波形を示す図である。横軸は時間、縦軸は電圧の高さを示す。
【図３】実施形態に係る電位治療器の電圧の波形のうちの１つである、パターン２の波形を示す図である。横軸は時間、縦軸は電圧の高さを示す。
【図４】実施形態に係る電位治療器の電圧の波形のうちの１つである、パターン３の波形を示す図である。横軸は時間、縦軸は電圧の高さを示す。
【図５】実施形態に係る電位治療器の電圧の波形のうちの１つである、パターン４の波形を示す図である。横軸は時間、縦軸は電圧の高さを示す。
【図６】治療に関する情報の入力と電位出力（電圧を身体に加える出力）を含む、実施形態に係る電位治療器のパーソナルモードのフローチャートである。
【図７】実施形態に係る電位治療器の使用状態の一例を示す図である。椅子と台とにより電気的に絶縁された空間に人間が位置し、かつ人間が電極に接触していることを示す。
【発明を実施するための形態】
【００１３】
以下に、本発明に係る実施形態を詳しく説明するが、本発明は、本明細書中に示される実施形態により限定されない。
〔電位治療器〕
本実施形態に係る電位治療器は、図１に示すように、複数のＫ人の人間に対し、ｋ回目の治療の出力調整パラメータＡｋを記憶することができる。即ち、前記電位治療器は、Ｋ人それぞれについて、１回目からｋ回目の出力調整パラメータをそれぞれ記憶しているものであってもよい。本実施形態に係る電位治療器は、少なくとも、Ｋ人それぞれについて、前回分の出力調整パラメータを記憶している。
図１は、Ｎ番目の人間について、ｎ回目の出力調整パラメータＡｎを用いて、ｎ＋１回目の出力調整パラメータが決定されることを示している。
本実施形態に係る電位治療器は、ｎ回目の治療の中断又は終了時に、当該回の治療における出力調整パラメータＡｎを、１の人間であるＮ番目の人間と関連付けて複数の人間について記憶する記憶手段１００と、複数の人間の中からＮ番目の人間を治療再開時に選択する選択手段１１０と、前記選択手段１１０により選択されたＮ番目の人間と関連付けて記憶された出力調整パラメータを用いて、選択されたＮ番目の人間に応じた出力調整パラメータを自動調整するパラメータ調整手段１２０とを備える。
出力調整パラメータＡｎを用いてパラメータ調整手段１２０により決定されたパラメータＡｎ＋１に従い、制御部２００が電圧の制御を行い、電圧が出力される。
【００１４】
本実施形態に係る電位治療器は、複数の人間が、１台の電位治療器を用いて所望の順番により交代に、自己又は他者の操作により治療を受ける際、１の人間の治療の中断又は終了時に、１の人間に関連付けて電位治療器の出力調整パラメータを記憶する機能、及び、複数の人間から１の人間の治療再開時に選択することにより、選択した１の人間に関連付けて記憶した前回の出力調整パラメータを用いて電位治療器の出力調整パラメータを設定する機能を有する。
本実施形態に係る電位治療器は、少なくとも、電極、記憶部、演算部及び入力部を有する。本実施形態に係る電位治療器は、複数の人間から１の人間を容易に選択可能な選択ボタン、出力等の状態を表示する表示部等を有しても良い。
【００１５】
本実施形態に係る電位治療器は、人間の身体に直接または間接に接触する電極を備える。前記電極は、電子ペン、美容ローラー等、身体に接触させ易い器具に備えられることにより、前記器具を通じて本実施形態に係る電位治療器に備えられても良い。
前記器具は、電位治療器に着脱可能であっても良く、多種の治療用途や故障時の交換の為、同種又は異種の器具と交換可能であっても良い。
【００１６】
本実施形態に係る電位治療器の記憶部は、前記電位治療器の記憶手段及びパラメータ調整手段及びパラメータ設定手段を構成するために用いられる。
本実施形態に係る電位治療器の演算部は、前記電位治療器の記憶手段及びパラメータ調整手段、パラメータ設定手段を構成するために用いられる。
本実施形態に係る電位治療器の入力部は、前記電位治療器の電源のＯＮ／ＯＦＦ、パラメータの手動調整のための入力に用いられる他、前記電位治療器の選択手段を構成するために用いられる。
【００１７】
〔記憶手段〕
本実施形態に係る電位治療器の記憶手段は、１の人間の１回の治療の中断又は終了時に、前記１の人間と関連付けた当該回の治療における出力調整パラメータの記憶を保持し、かつ該記憶を、複数の人間について保持する機能を少なくとも有する。
記憶手段は、例えば電子計算機のメモリー、磁気カード等、一定量以上の情報を記憶できる記憶部を含んで構成される。
前記記憶部をＵＳＢメモリーや磁気ディスク等、着脱可能とし、別の電位治療器に装着することで、別の電位治療器で継続して治療を受けることができるものであっても良い。
本実施形態に係る電位治療器の記憶手段は、誤操作により元の状態を回復すること、長期の治療の記録を反映させた治療を行うこと等のため、複数回以上の治療における出力調整パラメータが記憶されるものであっても良い。
【００１８】
〔選択手段〕
本実施形態に係る電位治療器の選択手段は、複数の人間の中から１の人間を治療再開時に選択する機能を少なくとも有する。
本実施形態に係る電位治療器の選択手段は、切り替えボタン、タッチパネル等、１の人間を選択するための入力が容易にできるものであれば、特に制限はない。
前記選択手段には、１台の前記電位治療器を、交代に複数の治療を受ける人間が使用する場合、治療を受ける人間又は治療のための操作を行う他者が、誤操作により他人を選択しないよう、本実施形態に係る電位治療器に、特定の入力方法、例えば簡単なパスワードの入力、本人の情報の一部の再入力等を求める等の誤操作防止機能が、備えられていても良い。
【００１９】
〔パラメータ調整手段〕
本実施形態に係る電位治療器のパラメータ調整手段は、前記選択手段により選択された１の人間と関連付けて記憶された出力調整パラメータにより、選択された１の人間に応じた出力調整パラメータを自動調整する。
前記パラメータ調整手段は、選択された１の人間に対し、単に前回と同じ電位治療器の出力調整パラメータを回復するだけでなく、電圧による慣れを防止するため、適した変化を加えた調整を行うことができる。
【００２０】
〔パラメータ設定手段〕
本実施形態に係る電位治療器は、人間毎の治療に関する情報を入力することにより、前記情報に応じた電位治療器の出力調整パラメータを自動設定するパラメータ設定手段を備えていてもよい。
人間毎の治療に関する情報は、１の人間に関連付けられ、本実施形態に係る電位治療器の入力部を通じて入力されてもよい。
本実施形態に係る電位治療器は、例えば、パラメータ設定手段として、記憶部に記憶された１の人間に関連付けられた情報を基に、演算部で処理行い、その結果を出力調整パラメータとして自動設定することができる。
【００２１】
〔電位治療器の出力調整パラメータ〕
本実施形態に係る電位治療器の出力調整パラメータは、（ａ）電圧の高さ、（ｂ）電圧の正負、（ｃ）電圧の波形、（ｄ）電圧の周波数、（ｅ）前記高さ、前記正負、前記波形若しくは前記周波数のいずれかを一定に保つ継続時間、及び、（ｆ）累計作動回数として、（ａ）〜（ｆ）のうち１種以上を含む。
本実施形態に係る電位治療器は、前記パラメータを組み合わせて変化させ、治療効果を高めることができるものであることが好ましい。
本実施形態に係る電位治療器の出力調整パラメータは、治療の中断又は終了時等、必要に応じて本実施形態に係る電位治療器の記憶部に記憶される。
【００２２】
本実施形態に係る電位治療器において、電圧は、前記電位治療器が備える電極から人間の身体に加える。
本発明において、電圧の波形とは、電位治療器が備える電極から人間の身体に加える電圧の高さの、周期的に繰り返される時間軸に対する変化の示す波形である。
本実施形態に係る電位治療器は、好ましくは複数の電圧の波形を出力することができ、より好ましくは、５種以上、より更に好ましくは１０種以上、最も好ましくは、２０種以上の波形を出力することができる。
更に、本実施形態に係る電位治療器は、位相、周波数又は振幅の異なる複数の正弦波を組み合わせることにより、所望の電圧の波形を出力するものであってもよい。
【００２３】
本実施形態において、電圧の周波数とは、電位治療器が備える電極から人間の身体に加える電圧の周波数であると定義される。
本実施形態に係る電位治療器は、好ましくは複数の電圧の周波数を出力でき、より好ましくは、電圧の周波数の値を１〜１２０Ｈｚの範囲で変化させて出力できる。
本実施形態において、電圧の高さとは、交流波の場合、電位治療器が備える電極から人間の身体に加える電圧の高さの最大値であると定義される。
また、本実施形態に係る電位治療器は、好ましくは複数の電圧の高さにより治療のために出力することができ、より好ましくは、電圧の高さを、０〜１４０００Ｖの範囲で変化させて出力できる。
【００２４】
本実施形態に係る電位治療器は、１の人間に関連付けられる治療に関する情報を入力することにより、前記情報に応じた電位治療器の出力調整パラメータを自動設定することができるものであっても良い。
１の人間に対応する治療に関する情報には、例えば、年齢、身長、体重等のうちの１種以上の情報が任意に含まれ、又、飲酒・喫煙の有無、食事・運動の量等治療を受ける人間の生活に関する情報のうち１種以上の情報が任意に含まれても良い。
１の人間に対応する治療に関する情報には、不眠、肩こり、高血圧、高血糖等の身体的症状・病名に関する情報のうち１種以上の情報が任意に含まれても良い。
１の人間に対応する治療に関する情報には、肩、腰及び首等、治療を受ける人間の治療箇所の情報に関する情報のうち１種以上の情報が含まれても良い。
１の人間に対応する治療に関する情報には、それ以外にも、一般的な健康診断で測定される、血圧、血液、脂質代謝、糖代謝、尿酸、腎・尿路系、肝・膵臓機能、炎症反応等に関する情報のうち１種以上の情報が任意に含まれてもよい。
本実施形態に係る電位治療器は、好ましくは、１の人間に対応する治療に関する情報を基に、特定の人間に対して適した治療及び避けるべき治療を反映した出力調整パラメータを設定可能である。
【００２５】
〔治療時の使用方法〕
本実施形態に係る電位治療器による治療は、１の人間に対して、一定時間連続して行われる。前記治療は、例えば、１回の治療を行った後、１日から数日等、一定の期間の間隔を空け同じ人間に対して再度治療を行うことを繰り返すことにより行われる。
本実施形態に係る電位治療器は、複数の人間が、１台の本実施形態に係る電位治療器により所望の順番で交代に治療を受けることができる。
本実施形態に係る電位治療器による治療は、治療を受ける人間自身の操作によって行うことができ、他者の操作によっても行うことができる。
本実施形態に係る電位治療器が、治療に関する情報を入力することにより、前記情報に応じた電位治療器の出力調整パラメータを自動設定することができるものである場合、治療を受ける人間又は操作を行う他者は、治療開始時に、任意に治療を受ける人間の治療に関する情報を入力し、かかる情報を用いて、電位治療器の出力調整パラメータが適切に設定されてもよい。
【００２６】
治療を受ける人間は、身体の１箇所又は複数の箇所に、本実施形態に係る電位治療器に備えられた電極を接触させる。
本実施形態に係る電位治療器は、所定のボタンの押下、電源の停止等による治療の中断又は所定の治療プログラムの終了等の治療の終了時に、その回に行った治療に関する電位治療器の出力調整パラメータの情報のうち必要な情報を記憶するものであってもよい。
１回の治療で、治療に関する電位治療器の出力調整パラメータが変化した場合は、必要に応じその変化についても記憶するものであってもよい。
【００２７】
治療を受ける人間が、再度治療を行う際、治療を受ける人間又は治療のための操作を行う他者は、本実施形態に係る電位治療器に備えられた選択機能により、本実施形態に係る電位治療器を使用して治療を受けた複数の人間の中から、現在治療を受ける人間を選択し特定する。
このことにより、前回に行った治療内容が反映されて本実施形態に係る電位治療器の出力調整パラメータが設定され、前回に行った治療内容を反映して現在の治療を行うことができる。
【００２８】
〔電位治療器の基本的仕様〕
本実施形態に係る電位治療器の定格電圧は、日本国内用にＡＣ１００Ｖ、海外用にＡＣ１００Ｖ〜２４０Ｖで使用可能であってもよい。
前記電位治療器の周波数は、５０Ｈｚ及び６０Ｈｚで使用可能であってもよい。
前記電位治療器は、複数の電位モードを有してもよい。
【００２９】
〔電位モード〕
前記電位治療器の電位モードのうちの１つは、パーソナルモードであってもよい。パーソナルモードは、通電マット、フットプレート、電位温熱マット等の１以上の身体に接触する器具を通じて全身に対して治療を行い、本実施形態に係る電位治療器から身体に加えられる（ａ）電圧の高さ、（ｂ）電圧の正負、（ｃ）電圧の波形、（ｄ）電圧の周波数、（ｅ）前記高さ、前記正負、前記波形若しくは前記周波数のいずれかを一定に保つ継続時間、のうち１種以上が電位治療中に変化する。
身体に加えられる電圧、周波数及び波形等の変化である治療プログラムは、性別、生年月日、血液型及び健康状態等に関するアンケートを基に、治療を受ける人間毎に実施形態に係る電位治療器が自動的に設定するか、又は前記電位治療器が提案し、治療を受ける人間が調整して設定することもできる。
本実施形態に係る電位治療器は、治療を受ける人間が前回までに何回治療を受けたかを記憶しており、治療を受ける人間が使用する度に治療内容を変化させることができる。
【００３０】
また、２つ以上の治療プログラムを、適宜調整して同時に実行するか、又は、順次若しくは交互に実行することにより一定の比率で組み合わせて新たな治療プログラムとすることができる。
この場合、例えば、表１に示す通り、使用時刻により、電圧の高さ、電圧の正負等が変化することにより電圧の波形が変化するように設定することもできる。
【表１】
2017189501.tif 000003
【００３１】
電位モードのうちの１つは、電位全身モード（ＡＣ交流）である。電位全身モード（ＡＣ交流）においては、電圧、周波数及び比率を使用者が設定する。電圧は、１４００〜１４０００Ｖ（波高値）、１００Ｖ単位で設定可能であり、周波数は、３０〜１２０Ｈｚ、１Ｈｚ単位で設定可能であり、各種パラメータの比率（バランス）については、５０％：−５０％〜０％：−１００％の範囲で、１０％単位で設定可能である。
前記電位治療器の電位全身モード（ＡＣ交流）においては、ある一定時間毎、例えば５分毎に２４種類の波形がランダムに変化する。
前記電位治療器の電位モードのうちの１つは、電位全身モード（ＤＣ直流）である。電圧を使用者が設定する。電圧は、−１０００〜−７０００Ｖ（実効値）まで変化させることができる。
前記電位治療器の電位モードには、以上の他、長時間かけて治療を行うことに適した電位全身長時間モード（ＡＣ交流）、電位全身長時間モード（ＤＣ直流）が備えられている。
【００３２】
更に、前記電位治療器の電位モードのうちの１つは、αモードである。αモードにおいては、脳波のアルファ波の周波数に近似した周波数の刺激を与えると、脳波が刺激周波数に同調するという脳波誘導現象、いわゆる、引き込み現象を利用することにより、治療を受ける人間をリラックスさせることを目的とするものである。
脳波誘導現象は、例えば音の刺激によるものについての文献が開示されているが、電位治療器による電気的刺激についても同様の効果を有する可能性があると考えられる。本実施形態に係る電位治療器は、斯かる効果が期待される静電気的刺激を与えることができる。
即ち、本実施形態に係る電位治療器は、８〜１３Ｈｚの周波数の値域内で変動する電圧の周波数で電圧による刺激を身体に加える機能を有してもよい。
具体的には、身体に加える電圧の周波数を、例えば、８〜１３Ｈｚの値域において、一定周期又は変動を有する周期で、一定値又は変動値の周波数ずつ増減させる。具体的には、電圧の変化の周期については、８〜１３Ｈｚの間において、２〜８秒毎、更に好ましくは、４〜６秒毎、最も好ましくは、５秒毎に１Ｈｚずつ、上下に変化させる。
周期の変動値については、本実施形態に係る目的を損なうものでなければ、特に制限はない。
電圧の高さを一度に変化させる値についても、本実施形態に係る目的を損なうものでなければ、特に制限はなく、また、電圧の高さの変化は、連続的な変化であってもよい。
【００３３】
更に、前記電位治療器の電位モードのうちの１つは、電位・温熱組合せモードである。温熱機能については、強弱設定は３段階（高・中・低）とすることができる。また、電圧を身体に加えている間は、温熱機能がＯＦＦにすることで、身体に対する負荷を軽減する設定になっていてもよい。
また、以上は主に全身に電圧を加える電位モードであるが、前記電位治療器は、局所的に電圧を加える電位モードとして、電位局所モードが備えられている。
電位局所モードにおいては、電圧を使用者が設定して治療を行う。電圧の高さは、例えば、１４００Ｖ、１８００Ｖ及び２１００Ｖ(いずれも波高値)とすることができる。
本実施形態に係る電位治療器は、温熱モードとして、電位温熱マットを用いた治療を行ってもよい。
【００３４】
本実施形態に係る電位治療器は、低周波モードとして、ローラー導子を用いた治療を行ってもよい。例えば、痛みの緩和、たたき、もみ又はＥＭＳ（Ｅｌｅｃｔｒｉｃａｌ  Ｍｕｓｃｌｅ  Ｓｔｉｍｕｌａｔｉｏｎ、即ち、電気刺激による筋肉収縮運動を応用した刺激）等を目的とする低周波治療器等の技術分野における公知の技術が、前記電位治療器に備えられた本明細書に記載の機能と共に用いられてもよい。
本実施形態に係る電位治療器には、タイマーが備えられており、使用時間が治療目的に合わせて自動設定されるか、又は、使用する人間が任意に設定することができるようになっていてもよい。
【００３５】
〔電圧の波形〕
本実施形態に係る電位治療器が加える電圧の波形には、複数の種類が用意されている。治療を受ける人間の身体に加わる感覚に慣れが生じないよう、波形を変えながら身体に電圧を加える。
図２〜図５は、それぞれ波形パターンの例となる波形パターン１〜４の波形を示す。図２〜図５において、横軸は時間、縦軸は電圧の高さである。波形パターンは、正弦波、パルス波等を単独、または複数組み合わせて作成することができる。波形パターンを変化させることで、身体の刺激の感覚が変わり、同じ高さの電圧であっても、同じ波形パターンを継続した場合より敏感に刺激を感じさせることができる。
【００３６】
〔治療プログラム〕
電圧の高さ、電圧の波形、電圧の周波数及びそれらの時間当たりの比率は、１回の治療において変化する。これを、本明細書中、治療プログラムという。
〔治療に関する情報〕
本実施形態に係る電位治療器では、パーソナルモードにおいて、治療に関する情報を入力し、その情報及びそれまでの治療回数の情報を含む情報に基づいて出力パラメータが決定され、電位出力（電圧を身体に加える出力）が行われる。
本実施形態に係る電位治療器のパーソナルモードを含む処理に関するフローチャートを図６に示す。
【００３７】
フローチャートの各ステップにおける操作・動作を以下に示す。（以下、ステップをＳと略す。）
主電源をＯＮにする（Ｓ０）。本実施形態に係る電位治療器が起動すると、治療モード選択画面が表示され、当該画面により治療モードを選択する（Ｓ１）。
選択画面において、パーソナルモードを選択することにより、本実施形態に係る電位治療器はパーソナルモードの初期画面（Ｓ２）となる。
Ｓ２において、１の人間が選択され、当該１の人間が、初回の治療を行う場合（Ｓ２，１回目）、ユーザー情報入力（Ｓ３）の画面となり、ここでアンケート及び問診の入力を行う。Ｓ３におけるアンケート及び問診の入力後、入力情報の確認が行われる（Ｓ４）。Ｓ４の後、入力情報をもとにＣＰＵが演算処理を行う（Ｓ５）処理に移行する。
当該１の人間が、２回目以降の治療を行う場合（Ｓ２，２回目以降）には、Ｓ２の後、直接Ｓ５に処理が移行する。
Ｓ５における演算処理により、治療プログラム決定（Ｓ６）及び出力パラメータの決定（Ｓ７）が行われる。
当該１の人間は、Ｓ６により決定された治療プログラム、及びそれに対応する、Ｓ７により決定された出力パラメータに従い出力される電位（電圧）出力により治療を行う（Ｓ８）。
【００３８】
〔使用状態例〕
実施形態に係る電位治療器の使用状態例を図７に示す。
電位治療器１は、椅子部１１、足置き台部１２及び操作部１３を含む。操作部は、表示装置、入力装置（例えば表示部に備えられたタッチパネル）を有すると共に、少なくとも、記憶装置及び出力調整パラメータを自動調整する演算機能を有する装置を備える。
操作部１３と、椅子部１１及び足置き台部１２とは、適宜配線を通じ接続し、操作部により前記電位治療器を操作可能にしている。椅子部１１及び足置き台部１２は、ケーブル１４を通じ接続している。
椅子部１１の絶縁体椅子１１ｂ及び足置き台部１２の絶縁体台１２ｂは、絶縁体により成り、人間２０を地面から電気的に絶縁された状態に保つ。
椅子部１１の椅子部電極１１ａ及び足置き台部１２の足置き台部電極１２ａは、人間２０に接触し、人間に対し電圧を加える。
操作部１３は、操作装置１３ａ及び操作装置取付具１３ｂを含み、人間２０により操作が行いやすい位置に設置されている。
前記電位治療器１の電源は、電源コード１５を通じ、家庭用電源等の電源３０から得られる。
【産業上の利用可能性】
【００３９】
本実施形態に係る電位治療器は、１台で複数の人間が交互に治療を行うことが可能な電位治療器として、医療機器分野で利用することができる。
【符号の説明】
【００４０】
１  電位治療器
１１  椅子部
１１ａ  椅子部電極
１１ｂ  絶縁体椅子
１２  足置き台部
１２ａ  足置き台部電極
１２ｂ  絶縁体台
１３  操作部
１３ａ  操作装置
１３ｂ  操作装置取付具
１４  ケーブル
１５  電源コード
２０  人間
３０  電源
【図１】
2017189501.tif 000004
【図２】
2017189501.tif 000005
【図３】
2017189501.tif 000006
【図４】
2017189501.tif 000007
【図５】
2017189501.tif 000008
【図６】
2017189501.tif 000009
【図７】
2017189501.tif 000010